(57)【特許請求の範囲】
【請求項１】
トラクタＰＴＯ軸から伝動される入力軸を有した主変速ボックスと、主変ボックスの前方左右に突出させてトラクタ後部に装着する機枠と、主変速ボックスに設けた縦軸を下部に垂設して直結した副変速ボックスと、副変速ボックスから土盛装置と畦形成装置に伝達する支持フレームと、前記副変速ボックスは主変速ボックスの縦軸を中心として回動自在に構成するとともに土盛装置の直後で畦形成装置の直前に畦上面削土装置を配置してなる畦形成機において、旧畦の未耕作業部分をトラクタを後進して行う場合に、支持フレームを１８０度回動させ、前記主変速ボックスに突出させた機枠に設けた係合片と支持フレーム側部に設けたブラケットとが係合されてストッパピンを挿入して固着することを特徴とした畦形成機。
【発明の詳細な説明】
【０００１】
【発明の属する技術分野】
本発明は畦形成機に係り、旧畦に対する畦塗り作業を行なわない未作業部分を生じることがない作業部の反転構成に関する。
【０００２】
【従来の技術】
従来、この種の畦形成機としては特許２９７２５３４号が知られる。この公報によれば、「トラクタに連結する三点連結部を有する機枠と、この機枠の後側部に取着された上下方向の回動中心軸と、この回動中心軸に進行方向に対して左右方向に回動自在に取着され旧畦に向かって畦塗り用の泥土を跳ね上げる回動自在のロータリー及びこのロータリーから跳ね上げられた泥土を旧畦に塗り付けて整畦する回動自在の畦塗り体を有する可動機枠と、前記機枠に設けられた前記回動中心軸を中心として前記可動機枠を左右方向に回動し旧畦の畦塗り作業位置にロータリー及び畦塗り体を配置してロックするロック手段と、を具備した畦塗り機」であって、さらに「前記可動機枠は、回動中心軸に左右方向に回動自在に取着され前方に向かって回動自在に突出した第１の入力軸及び後方に向かって回動自在に突出した第２の入力軸を有するミッションを内蔵したミッションケースと、このミッションケースに連結され前記ミッションからの出力によって回転駆動されるロータリーを有する第１の伝動ケースと、前記ミッションケースに連結され前記ミッションからの出力によって回転駆動される畦塗り体を有する第２の伝動ケースと、を備えている畦塗り機。」と記載されている。
【０００３】
【発明が解決しようとする課題】
前記公知技術によれば、トラクタが旧畦の最終端まで進行した時に、トラクタと畦塗り作業機までの全長範囲で未耕作業部分が生じるので、この時にトラクタに対して前記可動機枠を１８０度回動して、トラクタから入力するための第１入力軸から後方に向かって設けられた第２入力軸のクラッチによる離脱係合作業が必要となる。
この際、スプラインとクラッチの係合が微妙な精度を必要として、長時間使用すると係合しなくなる問題がある。また、ロータリーを駆動する第１伝動ケースと畦塗り体を有する第２伝動ケースを備え、回動機構部が複雑になる欠点があった。
又、畦の上面処理機は土盛装置の前方に配置する構成が知られるが、機体全長が長くなり大型化する欠点がある。
【０００４】
【課題を解決するための手段】
前記した問題を解決するために、トラクタＰＴＯ軸から伝動される入力軸を有した主変速ボックスと、主変ボックスの前方左右に突出させてトラクタ後部に装着する機枠と、主変速ボックスに設けた縦軸を下部に垂設して直結した副変速ボックスと、副変速ボックスから土盛装置と畦形成装置に伝達する支持フレームと、前記副変速ボックスは主変速ボックスの縦軸を中心として回動自在に構成するとともに土盛装置の直後で畦形成装置の直前に畦上面削土装置を配置してなる畦形成機において、旧畦の未耕作業部分をトラクタを後進して行う場合に、支持フレームを１８０度回動させ、前記主変速ボックスに突出させた機枠に設けた係合片と支持フレーム側部に設けたブラケットとが係合されてストッパピンを挿入して固着することを特徴とした畦形成機を提供したものである。
【０００５】
【作用】
以上のように構成したので、トラクタが旧畦の最終端部まで進行した後に、未耕作業部分の畦形成をするために、主変速ボックスに対して縦軸が同心状の副変速ボックスを１８０度回動させると、盛土部と畦形成装置は前工程の畦形成済みの反対側に向かって突出した状態に配置される。この回動した状態の配置で、そのままトラクタを後進し畦塗り状態となり、トラクタ伝道部との脱着等が何もなく簡単である。
又、土盛装置の直後で畦形成装置の直前に畦上面削土装置を配置したので、通常の畦形成と同時に畦上面の雑草と表土を排除できるとともに、機体全体の内方部に位置するので、畦上面処理機構による特別の突出部もなくコンパクトである。
さらに、主変速ボックスに突出させた機枠に設けた係合片と支持フレーム側部に設けたブラケットとが係合されてストッパピンを挿入して固着したので、簡単で堅労な機構で破損も少ない。
【０００６】
【実施例】
本発明を実施した図面に基づいて構成を説明する。
図１は本発明を実施した畦形成機の斜視図で、図２は畦形成状態を説明する側面図で、図３は駆動部を示す断面展開図で、図４は平面図、及び図５はその他の実施例を示す動力展開図を示したものである。
【０００７】
図１において、５は主変速ボックスを示し前方に入力軸４を有してなり、さらに前方左右に突出させた機枠１を設けてなる。左右の機枠１の前方には一対のロアピン３を設けている。主変速ボックス５の上面には、トップブラケット２を設けている。機枠１の左右裏面は、係合片１６，１６１が一対設けられている。
【０００８】
６は主変速ボックスの下部に連結した副変速ボックスの一側部で、下方へ傾斜させて設けた支持フレームを示している。支持フレーム６の端部には、カウンタボックス７を固着してなる。カウンタボックス７の前方には、正面に向けて掘削刃が矢印方向に回転する土盛装置が設けられている。
【０００９】
カウンタボックス７の外方には第１伝動ケース９を設けて、第１横軸２５によって畦形成装置１２を駆動する。畦形成装置は、畦上面を成形する筒状回転体１４と、畦の側面を成形する円錐状ディスク１３からなる。第１伝動ケース９の外方にはさらに第２伝動ケース１０が設けられる。第２伝動ケースの先端には第２横軸２５１が設けられて、上面削土装置１１を駆動する。上面削土装置１１は第２横軸２５１に複数個設けられ、旧畦の雑草根がある硬質の上面を切削破砕して畦形成装置の成形部へ浸入する。
【００１０】
図２は畦形成状態を説明する側面図を示したもので、トラクタの後部に本発明の畦形成機を装着したものである。トラクタは省略しているが、トラクタ後部の三点リンクであるトップリンク３０と左右一対のロアリンク３１によって連結されている。２８は畦を示して、断面台形状であり、８の土盛装置によって畦の側面と上面に掘削土を投擲する。土盛装置の直後で畦形成装置の直前に配置した畦上面削土装置は、土盛装置から投擲される掘削土と畦上面を掘土した破砕土と混合しながら後方へ送る。
【００１１】
この混合された掘削土は、直後の畦形成装置１２の筒状回転体１４と円錐状ディスク１３によって、畦の上面と側面に塗り付けられて鎮圧成形する。４の入力軸はトラクタＰＴＯ軸とユニバーサルジョイント等によって伝動されて、主変速ボックス５内を駆動する。１９は副変速ボックスを示し、主変速ボックス５の下部に回動自在に連結され、６の支持フレームを介して畦形成装置１２等を駆動する。
【００１２】
３２はストッパピンを示し、機枠１側の係合片１６と支持フレーム側部のブラケットとが係合されて固着されるものである。
【００１３】
図３において５は主変速ボックスを示し、前方に入力軸４を設けている。主変速ボックス５は、上部は箱状で下端部は円筒状をなして、内部には縦軸２０が貫通して設けられ、外周は副変速ボックス１９の上部が嵌合されて摺動自在に固着される。副変速ボックス１９には支持フレーム６が固着される。支持フレーム６の先端にはカウンタボックス７が設けられて、畦形成装置の駆動をする。主変速ボックス５内においては、入力軸４からの動力をベベルギヤ２３，２３１を介して縦軸２０を回転する。
【００１４】
縦軸２０の回動力はベベルギヤ２３２，２３３介して、支持フレーム６内の伝達軸２１を駆動する。伝達軸２１の他端はカウンタボックス内に貫通して、ベベルギヤ２３４によってベベルギヤ２３５を介して、回転軸２４を回転させて土盛装置８を駆動する。ベベルギヤ２３４は一方でベベルギヤ２３６を介して、横軸２２を回転させて第１伝動ケース９と第２伝動ケース１０を駆動する。第１伝動ケース９は、第１横軸を回転させて畦形成装置を駆動する。第２伝動ケース１０は、第２横軸２５を回転させて上面削土装置を駆動する。
【００１５】
図４においては通常作業時の平面図を示したもので、主変速ボックス５に対して畦形成装置１２、上面削土装置１１、土盛装置８を支持して、駆動する支持フレーム６を一側部にセットして、支持フレーム６のブラケット１５１が機枠１の係合片１６と係合して、ストッパピンで係止している。旧畦の未耕作業部をトラクタを後進して行なう場合は、支持フレーム６を１８０度回動させて、ブラケット１５を機枠１の係合片１６１と係合させ、ストッパピン３２を挿入すると固着される。
【００１６】
図５はその他の実施例を示すもので、主変速ボックス５の下方に摺動自在に副変速ボックス１９を連結したものであって、垂直に配置した縦軸２０に対して、支持フレーム６を水平方向に設置したものである。従って、支持フレーム６の内部に設けた伝達軸２１は直接に第１伝動ケース９、第２伝動ケース１０を駆動するとともに、土盛装置８を回転するための第３伝動ケース７１も駆動する。８の土盛装置は進行に直交したロータリ軸回転方式であり、この実施例によれば前記実施例に比べて構成がさらに単純で安価に製作できる。
【００１７】
【効果】
以上のように構成したので、動力の係脱等の操作がなく、畦形成装置等を回動できて、旧畦の未耕地部分作業のための回動作用や、トラクタ巾に対する格納移動等が容易である。また、主変速ミッションに対して、一本の支持フレームから直接作業部に直結したので、シンプルな構造となり軽量になり、トラクタ走行バランスも優利である。
【図面の簡単な説明】
【図１】  本発明を実施した畦形成機の斜視図
【図２】  畦形成状態を説明する側面図
【図３】  駆動部を示す断面展開図
【図４】  平面図
【図５】  その他の実施例を示す動力展開図
【符号の説明】
１  機枠
２  トップブラケット
３  ロアピン
４  入力軸
５  主変速ボックス
６  支持フレーム
７  カウンタボックス
７１  第３伝動ケース
８  土盛装置
９  第１伝動ケース
１０  第２伝動ケース
１１  上面削土装置
１２  畦形成装置
１３  円錐状ディスク
１４  筒状回転体
１５，１５１  ブラケット
１６，１６１  係合片
１７  フック
１８  掘削爪
１９  副変速ボックス
２０  縦軸
２１  伝動軸
２２  横軸
２３，２３１，２３２，２３３，２３４，２３５，２３６  ベベルギヤ
２４  回転軸
２５  第１横軸
２５１  第２横軸
２６  金具
２７  切削爪
２８  畦
２９  カバー
３０  トップリンク
３１  ロアリンク
３２  ストッパピン
【図１】
0003644033.tif 000002
【図２】
0003644033.tif 000003
【図３】
0003644033.tif 000004
【図４】
0003644033.tif 000005
【図５】
0003644033.tif 000006